(57)【要約】【課題】タッチスクリーンを備える装置のセキュリティを向上させること。【解決手段】装置（例えば、スマートフォン）は、タッチスクリーンと、装置がロックされている状態で、タッチスクリーンによって検出されるタッチの数に基づいて装置のロックを解除するコントローラと、を備える。装置は、タッチスクリーンに重畳されるディスプレイをさらに備えてもよい。この場合、コントローラは、装置がロックされている場合にディスプレイにロック画面を表示し、ロック画面が複数の位置でタッチされている場合に当該装置のロックを解除してもよい。【選択図】図８
2013073512.tif 000002
【特許請求の範囲】
【請求項１】
タッチスクリーンおよびコントローラを備える装置であって、
前記コントローラは、当該装置がロックされている状態で、前記タッチスクリーンによって検出されるタッチの数に基づいて当該装置のロックを解除する
装置。
【請求項２】
前記タッチスクリーンに重畳されるディスプレイをさらに備え、
前記コントローラは、当該装置がロックされている場合に前記ディスプレイにロック画面を表示し、前記ロック画面が複数の位置でタッチされている場合に当該装置のロックを解除する
請求項１に記載の装置。
【請求項３】
前記コントローラは、前記ロック画面に配置された複数のオブジェクトのうち少なくとも２つのオブジェクトがタッチされている場合に当該装置のロックを解除する
請求項２に記載の装置。
【請求項４】
前記コントローラは、前記少なくとも２つのオブジェクトが所定の順序でタッチされると、当該装置のロックを解除する
請求項３に記載の装置。
【請求項５】
前記コントローラは、前記タッチスクリーンにおける所定の位置がタッチされた状態で前記所定の位置とは異なる位置がタッチされて、前記タッチスクリーンが複数の位置でタッチされている状態となると、当該装置のロックを解除する
請求項１に記載の装置。
【請求項６】
前記コントローラは、前記タッチスクリーンが、予め決められた時間間隔で予め決められた回数タッチされると、当該装置のロックを解除する
請求項１に記載の装置。
【請求項７】
タッチスクリーンを備える装置を制御する方法であって、
当該装置をロックするステップと、
当該装置がロックされている状態で、前記タッチスクリーンによって検出されるタッチの数に基づいて当該装置のロックを解除するステップと、
を含む方法。
【請求項８】
タッチスクリーンを備える装置に、
当該装置をロックするステップと、
当該装置がロックされている状態で、前記タッチスクリーンによって検出されるタッチの数に基づいて当該装置のロックを解除するステップと、
を実行させるプログラム。
【発明の詳細な説明】
【技術分野】
【０００１】
本発明は、装置、方法、及びプログラムに関する。特に、本発明は、タッチスクリーンを有する装置、その装置を制御する方法、及びその装置を制御するためのプログラムに関する。
【背景技術】
【０００２】
タッチスクリーンを備える装置が知られている。タッチスクリーンを備える装置には、例えば、スマートフォン及びタブレットが含まれる。タッチスクリーンを備える装置は、タッチスクリーンを介して指又はスタイラスペンのジェスチャを検出する。そして、タッチスクリーンを備える装置は、検出したジェスチャに従って動作する。検出したジェスチャに従った動作の例は、例えば、特許文献１に記載されている。
【０００３】
タッチスクリーンを備える装置の基本的な動作は、装置に搭載されるＡｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
タッチスクリーンを備える装置の多くは、セキュリティを確保するために所定の操作によりロックされる。上記の装置の利用者は、装置のロックを解除するために、タッチスクリーンにおける複数の位置を１箇所ずつ触ることがある。また、上記の装置の利用者は、装置のロックを解除するために、タッチスクリーンに指を接触させた状態で予め決められた経路に沿って指を動かすこともある。
【０００６】
本発明は、タッチスクリーンを備える装置のセキュリティを向上させることができる装置、方法、及びプログラムを提供することを目的とする。
【課題を解決するための手段】
【０００７】
本発明に係る装置は、１つの態様において、タッチスクリーンと、当該装置がロックされている状態で、前記タッチスクリーンによって検出されるタッチの数に基づいて当該装置のロックを解除するコントローラと、を備える。
【０００８】
本発明に係る方法は、１つの態様において、タッチスクリーンを備える装置を制御する方法であって、当該装置をロックするステップと、当該装置がロックされている状態で、前記タッチスクリーンによって検出されるタッチの数に基づいて当該装置のロックを解除するステップと、を含む。
【０００９】
本発明に係るプログラムは、１つの態様において、タッチスクリーンを備える装置に、当該装置をロックするステップと、当該装置がロックされている状態で、前記タッチスクリーンによって検出されるタッチの数に基づいて当該装置のロックを解除するステップと、を実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６Ａ】図６Ａは、ロック画面の一例を示す図である。
【図６Ｂ】図６Ｂは、ロック画面の一例を示す図である。
【図６Ｃ】図６Ｃは、ロック画面の一例を示す図である。
【図６Ｄ】図６Ｄは、ロック画面の一例を示す図である。
【図７】図７は、実施形態に係るスマートフォンが行う制御の第１の例を示す図である。
【図８】図８は、実施形態に係るスマートフォンが行う制御の第２の例を示す図である。
【図９】図９は、実施形態に係るスマートフォンが行う制御の第３の例を示す図である。
【図１０】図１０は、実施形態に係るスマートフォンが行う制御の第４の例を示す図である。
【図１１】図１１は、実施形態に係るスマートフォンが行う制御の第５の例を示す図である。
【図１２】図１２は、実施形態に係るスマートフォンが行う制御の第６の例を示す図である。
【図１３Ａ】図１３Ａは、実施形態に係るスマートフォンが行う制御の第７の例を示す図である。
【図１３Ｂ】図１３Ｂは、実施形態に係るスマートフォンが行う制御の第７の例を示す図である。
【図１４】図１４は、実施形態に係るスマートフォンが行う制御の第８の例を示す図である。
【図１５】図１５は、実施形態に係るスマートフォンが行う制御の処理手順を示すフローチャートである。
【発明を実施するための形態】
【００１１】
本発明を実施するための実施形態を、図面を参照しつつ詳細に説明する。以下では、タッチスクリーンを備える装置の一例として、スマートフォンについて説明する。
【００１２】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。ディスプレイ２Ａは、タッチスクリーン２Ｂに重畳される。
【００１５】
タッチスクリーン２Ｂは、タッチスクリーン２Ｂに対する指、又はスタイラスペン等の接触を検出する。タッチスクリーン２Ｂは、複数の指、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、又はスタイラスペン等は単に「指」ということがある。
【００１７】
スマートフォン１は、タッチスクリーン２Ｂにより検出された接触、接触が行われた位置、接触が行われた時間及び接触が行われた位置に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
タッチは、タッチスクリーン２Ｂに指が触れるジェスチャである。スマートフォン１は、タッチスクリーン２Ｂに指が接触するジェスチャをタッチとして判別する。ロングタッチとは、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
リリースは、指がタッチスクリーン２Ｂから離れるジェスチャである。スマートフォン１は、指がタッチスクリーン２Ｂから離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２０】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２１】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２３】
ピンチインは、複数の指が近付く方向にスワイプするジェスチャである。スマートフォン１は、複数の指が近付く方向にスワイプするジェスチャをピンチインとして判別する。ピンチアウトは、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２５】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限られない。
【００３３】
ここで、ホーム画面４０の上下方向について説明する。以下の説明では、ホーム画面４０の上下方向は、タッチスクリーンディスプレイ２に表示される文字または画像の上下方向を基準とした方向であるとする。よって、ホーム画面４０は、タッチスクリーンディスプレイ２の長手方向において領域４２に近い側がホーム画面４０の上側となり、領域４２から遠い側がホーム画面４０の下側となる。図４に示した実施形態では、領域４２において電波レベルマーク４４が表示されている側がホーム画面４０の右側となり、領域４２において残量マーク４３が表示されている側がホーム画面４０の左側となる。
【００３４】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３５】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、コネクタ１４と、加速度センサ１５と、方位センサ１６と、ジャイロスコープ１７とを有する。
【００３６】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３７】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、トリプルクリック、プッシュ、及びマルチプッシュである。
【００３８】
例えば、ボタン３Ａ〜３Ｃは、ホームボタン、バックボタンまたはメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３９】
照度センサ４は、照度を検出する。例えば、照度とは、光の強さ、明るさ、輝度等である。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。
【００４０】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ等がある。通信ユニット６は、上述した通信規格の１つ又は複数をサポートしていてもよい。
【００４１】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４２】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４３】
ストレージ９に記憶されるプログラムには、フォアグランドまたはバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４４】
ストレージ９は、例えば、制御プログラム９Ａ、メールアプリケーション９Ｂ、ブラウザアプリケーション９Ｃおよび設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定機能を提供する。設定データ９Ｚは、例えば、スマートフォン１のロックを解除するためのタッチスクリーン２Ｂに対するタッチのパターンである解除パターンを記憶している。解除パターンとしては、例えばタッチスクリーン２Ｂに対するタッチの数、位置、回数、順序または時間間隔がある。
【００４５】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能としては、例えば、スマートフォン１をロックする機能およびスマートフォン１のロックを解除する機能がある。なお、制御プログラム９Ａが提供する機能は、メールアプリケーション９Ｂ等の他のプログラムが提供する機能と組み合わせて利用されることがある。
【００４６】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４７】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４８】
コントローラ１０は、制御プログラム９Ａを実行することにより、例えば、スマートフォン１をロックする。コントローラ１０は、制御プログラム９Ａを実行することにより、例えば、スマートフォン１のロックを解除する。
【００４９】
カメラ１２は、フロントフェイス１Ａに面している物体を撮影するインカメラである。カメラ１３は、バックフェイス１Ｂに面している物体を撮影するアウトカメラである。
【００５０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。コネクタ１４は、Ｄｏｃｋコネクタのような専用に設計された端子でもよい。コネクタ１４に接続される装置には、例えば、外部ストレージ、スピーカ、通信装置が含まれる。
【００５１】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５２】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、コネクタ１４に接続される読み取り装置が読み取り可能なＣＤ、ＤＶＤ、又はＢｌｕ−ｒａｙ等の記憶媒体に記憶されていてもよい。
【００５３】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、照度センサ４と近接センサ５とは、１つのセンサから構成されていてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。
【００５４】
次に、図６Ａから図６Ｄを参照して、ロック画面について説明する。ロック画面は、スマートフォン１がロックされていることを示す画面である。スマートフォン１は、例えば、タッチスクリーンディスプレイ２またはボタン３等に対する操作が行われずに所定の時間が経過するとロックされる。スマートフォン１は、例えば、スマートフォン１のスリープ／スリープ解除ボタンであるボタン３Ｄがクリックされた場合にもロックされる。スマートフォン１は、ロックされると、ロックを解除するために予め設定された操作が行われた場合にのみ、各種機能を実行することが可能な状態となる。
【００５５】
スマートフォン１は、ロックが解除されると、ロック画面を消去し、ロックされる直前にディスプレイ２Ａに表示していた画面を再びディスプレイ２Ａに表示する。例えば、スマートフォン１は、ホーム画面４０をディスプレイ２Ａに表示している状態でロックされた場合、ロックが解除されると、ホーム画面４０を再びディスプレイ２Ａに表示する。なお、スマートフォン１のロックが解除されたときにディスプレイ２Ａに表示される画面は、ロックされる直前に表示していた画面と異なる画面であってもよい。
【００５６】
図６Ａは、ディスプレイ２Ａに表示されたロック画面６０ａを示す図である。図６Ａに示すように、スマートフォン１は、ディスプレイ２Ａにロック画面６０ａおよび領域４２を表示している。領域４２は、図４と同様に、ディスプレイ２Ａの上端に表示される。ロック画面６０ａには、日付および時刻が領域４２側に表示されている。スマートフォン１は、領域４２を、ロック画面６０ａと一緒に表示しなくてもよい。
【００５７】
図６Ｂは、ディスプレイ２Ａに表示されたロック画面６０ｂを示す図である。ロック画面６０ｂには、ロック画面６０ａと同様に、日付および時刻が領域４２側に表示されている。そして、ロック画面６０ｂには、円形のアイコン６１が配置される。アイコン６１は、全部で９個配置される。アイコン６１は、ロック画面６０ｂの中央部から下部にかけて、３行３列の格子状に配置される。
【００５８】
図６Ｃは、ディスプレイ２Ａに表示されたロック画面６０ｃを示す図である。図６Ｃは、便宜上ディスプレイ２Ａが図６Ａに示す状態から左に９０度回転した状態を示している。図６Ｃに示されるように、ロック画面６０ｃには、鍵盤オブジェクト６２が配置されている。鍵盤オブジェクト６２は、一般的な鍵盤を模したオブジェクトである。鍵盤オブジェクト６２は、ディスプレイ２Ａの長手方向に沿ってＣ（ド）からＢ（シ）の７つの白鍵を有する。また、鍵盤オブジェクト６２は、それぞれＣ＃（Ｄ♭），Ｄ＃（Ｅ♭），Ｆ＃（Ｇ♭），Ｇ＃（Ａ♭）およびＡ＃（Ｂ♭）の５つの黒鍵を一般的な鍵盤と同様の位置に有している。
【００５９】
図６Ｄは、ディスプレイ２Ａに表示されたロック画面６０ｄを示す図である。ロック画面６０ｄには、ロック画面６０ａと同様に、日付および時刻が領域４２側に表示されている。そして、ロック画面６０ｄには、錠アイコン６３が配置される。錠アイコン６３は、ロック画面６０ｄの略中央部に配置される。
【００６０】
スマートフォン１は、例えば、スマートフォン１のスリープ／スリープ解除ボタンであるボタン３Ｄがクリックされると、上記のロック画面６０ａ〜６０ｄのいずれか一つをディスプレイ２Ａに表示する。スマートフォン１は、利用者の設定操作により、どのロック画面を表示するかを決定してよい。
【００６１】
ここまで、本実施形態に係るスマートフォン１の基本的な構成について説明を行った。以下に、実施形態に係るスマートフォン１が、利用者の装置に対する操作に応じて、タッチスクリーンにより検出されるタッチの数に基づいてスマートフォン１のロックを解除する制御の例を示す。
【００６２】
図７は、実施形態に係るスマートフォンが行う制御の第１の例を示す図である。スマートフォン１は、この第１の例では、タッチスクリーン２Ｂに対する２箇所でのタッチを上記の解除パターンとして設定している。
【００６３】
スマートフォン１は、図７に示すように、ステップＳ１１で、図６Ａと同様のロック画面６０ａをディスプレイ２Ａ（タッチスクリーンディスプレイ２）に表示している。
【００６４】
そして、ステップＳ１２では、利用者が、２本の指（指Ｆ１および指Ｆ２）で、タッチスクリーン２Ｂ（タッチスクリーンディスプレイ２）においてロック画面６０ａが表示された部分をタッチしている。
【００６５】
この場合、スマートフォン１は、ロック画面６０ａに対する複数の位置でのタッチを検出する。スマートフォン１は、ロック画面６０ａに対する複数の位置でのタッチを検出すると、ロックを解除する。スマートフォン１は、例えば、ステップＳ１３に示すように、ディスプレイ２Ａの表示をロック画面６０ａから図４と同様のホーム画面４０に変更する。
【００６６】
図７に示すように、スマートフォン１は、ロック画面６０ａが複数の位置でタッチされている場合に、スマートフォン１のロックを解除する。これにより、スマートフォン１は、従来のように１本の指でタッチスクリーンに対する種々の操作が行われてもロックを解除しないため、セキュリティを向上させることができる。
【００６７】
図７に示す第１の例では、スマートフォン１は、ロック画面が２本指でタッチされるとロックを解除するが、本実施形態はこれに限られない。スマートフォン１は、タッチスクリーン２Ｂに対する３箇所または４箇所でのタッチを上記の解除パターンとして設定し、ロック画面が３本指または４本指でタッチされるとロックを解除してもよい。
【００６８】
図８は、実施形態に係るスマートフォンが行う制御の第２の例を示す図である。スマートフォン１は、この第２の例では、ロック画面６０ｂに配置された９つのアイコン６１の中の３つのアイコンに対するタッチを上記の解除パターンとして設定している。
【００６９】
スマートフォン１は、図８に示すように、ステップＳ２１で、図６Ｂと同様のロック画面６０ｂをディスプレイ２Ａに表示している。
【００７０】
そして、ステップＳ２２では、利用者が、３本の指（指Ｆ１、指Ｆ２および指Ｆ３）で、ロック画面６０ｂに配置された９個のアイコン６１のうち３つを一度にタッチしている。利用者は、左の列の真ん中のアイコン、真ん中の列の上のアイコンおよび右の列の上のアイコンをタッチしている。
【００７１】
スマートフォン１は、ロック画面６０ｂに配置された３つのアイコン６１が一度にタッチされたことを検出すると、ロックを解除する。スマートフォン１は、例えば、ステップＳ２３に示すように、ディスプレイ２Ａの表示をロック画面６０ｂから図４と同様のホーム画面４０に変更する。
【００７２】
図８に示すように、スマートフォン１は、ロック画面６０ｂに配置された３つのアイコン６１がタッチされている状態となると、スマートフォン１のロックを解除する。これにより、スマートフォン１は、セキュリティを向上させることができる。スマートフォン１は、ロックを解除するためにタッチする必要があるアイコン６１の数より多くのアイコン６１をロック画面６０ｂに配置している。これにより、スマートフォン１は、セキュリティをさらに向上させることができる。
【００７３】
図８に示す第２の例では、スマートフォン１は、ステップＳ２２に示す３つのアイコン６１がタッチされている状態となるとロックを解除するが、本実施形態はこれに限られない。例えば、上記の解除パターンとして同時にタッチされる必要があるアイコン６１の数は、３つに限られず、２つであっても４つであってもよい。同時にタッチされた状態となるアイコン６１は、ステップＳ２２に示すアイコン６１とは異なるアイコン６１であってもよい。
【００７４】
図９は、実施形態に係るスマートフォンが行う制御の第３の例を示す図である。スマートフォン１は、この第３の例では、ロック画面６０ｂに配置される９つのアイコン６１のうち左の列の真ん中のアイコンがタッチされた状態で、真ん中の列の上のアイコンおよび右の列の上のアイコンが一度にタッチされることを上記の解除パターンとして設定している。
【００７５】
スマートフォン１は、図９に示すように、ステップＳ３１で、図６Ｂと同様のロック画面６０ｂをディスプレイ２Ａに表示している。
【００７６】
そして、ステップＳ３２では、利用者が、指Ｆ１で、ロック画面６０ｂに配置された９個の円形アイコン６１のうち左の列の真ん中のアイコンをタッチしている。
【００７７】
そして、ステップＳ３３では、利用者が、ステップＳ３２に示す状態から、さらに２本の指（指Ｆ２および指Ｆ３）で、９個の円形アイコン６１のうち真ん中の列の上のアイコンおよび右の列の上のアイコンを同時にタッチしている。すなわち、利用者は、ステップＳ３３で、ロック画面６０ｂに配置された３つのアイコン６１を一度にタッチしている。
【００７８】
スマートフォン１は、ロック画面６０ｂに配置された３つのアイコン６１がタッチされていることを検出すると、ロックを解除する。スマートフォン１は、例えば、ステップＳ３４に示すように、ディスプレイ２Ａの表示をロック画面６０ｂから図４と同様のホーム画面４０に変更する。
【００７９】
図１０は、実施形態に係るスマートフォンが行う制御の第４の例を示す図である。スマートフォン１は、この第４の例では、ロック画面６０ｂに配置される９つのアイコン６１のうち左の列の真ん中のアイコン、真ん中の列の上のアイコンおよび右の列の上のアイコンがこの順序でタッチされることを上記の解除パターンとして設定している。
【００８０】
スマートフォン１は、図１０に示すように、ステップＳ４１で、図６Ｂと同様のロック画面６０ｂをディスプレイ２Ａに表示している。そして、ステップＳ４１では、利用者が、指Ｆ１で、ロック画面６０ｂに配置された９個の円形アイコン６１のうち左の列の真ん中のアイコンをタッチしている。
【００８１】
そして、ステップＳ４２では、利用者が、ステップＳ４１に示す状態からさらに、９個の円形アイコン６１のうち真ん中の列の上のアイコンを指Ｆ２でタッチしている。
【００８２】
そして、ステップＳ４３では、利用者が、ステップＳ４２に示す状態からさらに、９個の円形アイコン６１のうち右の列の上のアイコンを指Ｆ３でタッチしている。すなわち、利用者は、ステップＳ４３で、ロック画面６０ｂに配置された３つのアイコン６１を一度にタッチしている。
【００８３】
スマートフォン１は、ロック画面６０ｂに配置された３つのアイコン６１がタッチされていることを検出すると、ロックを解除する。スマートフォン１は、例えば、ステップＳ４４に示すように、ディスプレイ２Ａの表示をロック画面６０ｂから図４と同様のホーム画面４０に変更する。
【００８４】
ここまで、図９および図１０を参照して、実施形態に係るスマートフォンが行う制御の第３の例および第４の例について説明した。
【００８５】
図９および図１０に示すように、スマートフォン１は、異なるオブジェクトが所定の順序でタッチされて複数のオブジェクトがタッチされている状態になるとロックを解除する。これにより、スマートフォン１は、タッチの数およびタッチの順序に応じてロックを解除するため、セキュリティをさらに向上させることができる。
【００８６】
図９に示す第３の例では、スマートフォン１は、ロック画面６０ｂに配置された複数のアイコン６１のうち、一つのアイコン６１がタッチされた状態で別の２つのアイコン６１が一度にタッチされて３つのアイコン６１がタッチされている状態となると、スマートフォン１のロックを解除する。しかしながら、本実施形態は、解除パターンに応じた種々の制御の例が考えられる。
【００８７】
例えば、スマートフォン１は、９個の円形アイコン６１のうち真ん中の列の上のアイコンおよび右の列の上のアイコンがタッチされた状態で左の列の真ん中のアイコンがタッチされて３つのアイコン６１がタッチされている状態となると、スマートフォン１のロックを解除してもよい。
【００８８】
図１０に示す第４の例においても、スマートフォン１は、ステップＳ４１からＳ４３に示す順番とは異なる順番で３つのアイコン６１がタッチされた場合にロックを解除してよい。
【００８９】
図９または図１０では、スマートフォン１は、ステップＳ３３またはＳ４３に示す３つのアイコン６１がタッチされている状態となるとロックを解除するが、本実施形態はこれに限られない。例えば、上記の解除パターンとして同時にタッチされる必要があるアイコン６１の数は、３つに限られず、２つであっても４つであってもよい。また、同時にタッチされた状態となるアイコン６１は、ステップＳ３３またはＳ４３に示すアイコン６１とは異なるアイコン６１であってもよい。
【００９０】
図１１は、実施形態に係るスマートフォンが行う制御の第５の例を示す図である。スマートフォン１は、この第５の例では、ロック画面６０ｃに配置される鍵盤オブジェクト６２のＣ（ド）、Ｅ（ミ）およびＧ（ソ）の白鍵が一度にタッチされることを上記の解除パターンとして設定している。
【００９１】
スマートフォン１は、図１１に示すように、ステップＳ５１で、図６Ｃと同様のロック画面６０ｃをディスプレイ２Ａに表示している。
【００９２】
そして、ステップＳ５２では、利用者が、３本の指（指Ｆ１、指Ｆ２および指Ｆ３）で、鍵盤オブジェクト６２の７つの白鍵のうち３つを一度にタッチしている。具体的には、利用者は、指Ｆ１でＣの白鍵を、指Ｆ２でＥの白鍵を、指Ｆ３でＧの白鍵を各々タッチしている。
【００９３】
スマートフォン１は、鍵盤オブジェクト６２の７つの白鍵のうち３つが一度にタッチされたことを検出すると、ロックを解除する。スマートフォン１は、例えば、ステップＳ５３に示すように、ディスプレイ２Ａの表示をロック画面６０ｃから図４と同様のホーム画面４０に変更する。
【００９４】
図１１に示すように、スマートフォン１は、ロック画面６０ｃに配置された鍵盤オブジェクト６２の７つの白鍵のうち３つの白鍵がタッチされている状態となると、スマートフォン１のロックを解除する。これにより、スマートフォン１は、セキュリティを向上させることができる。
【００９５】
図１１に示す第５の例では、スマートフォン１は、Ｃ，ＥおよびＧの白鍵がタッチされている状態となるとロックを解除する。しかしながら、本実施形態は、解除パターンに応じた種々の制御の例が考えられる。例えば、スマートフォン１は、Ｃ，ＥおよびＡの白鍵がタッチされている状態となるとロックを解除してよい。また、スマートフォン１は、図１１に示すＣ，ＥおよびＧの他に、例えばＣ，ＥおよびＧ♭のように和音を構成する複数の音に対応する鍵盤がタッチされている状態となるとロックを解除してもよい。
【００９６】
スマートフォン１は、図９に示す第３の例および図１０に示す第４の例と同様に、異なる鍵盤が所定の順序でタッチされて複数の鍵盤がタッチされている状態となるとロックを解除してよい。
【００９７】
図１２は、実施形態に係るスマートフォンが行う制御の第６の例を示す図である。スマートフォン１は、この第６の例では、ロック画面６０ｄにおいて錠アイコン６３と異なる領域がタッチされた状態で錠アイコン６３がタッチされることを上記の解除パターンとして設定している。
【００９８】
スマートフォン１は、図１２に示すように、ステップＳ６１で、図６Ｄと同様のロック画面６０ｄをディスプレイ２Ａに表示している。
【００９９】
そして、ステップＳ６２では、利用者が、指Ｆ１で、ロック画面６０ｄのうち錠アイコン６３とは異なる領域をタッチしている。
【０１００】
そして、ステップＳ６３では、利用者が、ステップＳ６２に示す状態からさらに、指Ｆ２で錠アイコン６３をタッチしている。すなわち、利用者は、ステップＳ６３で、ロック画面６０ｄにおいて錠アイコン６３および錠アイコン６３とは異なる領域を一度にタッチしている。
【０１０１】
スマートフォン１は、ロック画面６０ｄにおいて錠アイコン６３および錠アイコン６３とは異なる領域がタッチされていることを検出すると、ロックを解除する。スマートフォン１は、例えば、ステップＳ６４に示すように、ディスプレイ２Ａの表示をロック画面６０ｄから図４と同様のホーム画面４０に変更する。
【０１０２】
図１２に示すように、スマートフォン１は、タッチスクリーン２Ｂにおける所定の位置がタッチされた状態でその所定の位置とは異なる位置がタッチされてタッチスクリーン２Ｂが複数の位置でタッチされている状態となると、スマートフォン１のロックを解除する。これにより、スマートフォン１は、セキュリティを向上させることができる。
【０１０３】
なお、スマートフォン１は、この第６の例で、錠アイコン６３がタッチされた状態でロック画面６０ｄにおいて錠アイコン６３とは異なる領域がタッチされるとロックを解除してよい。
【０１０４】
図１３Ａおよび図１３Ｂは、実施形態に係るスマートフォンが行う制御の第７の例を示す図である。スマートフォン１は、この第７の例では、ロック画面６０ｄに配置された錠アイコン６３が、一度タッチされてから時間間隔Ｔ１をおいて再びタッチされ、さらに時間間隔Ｔ２をおいて再度タッチされることを上記の解除パターンとして設定している。
【０１０５】
スマートフォン１は、図１３Ａに示すように、ステップＳ７１で、図６Ｄと同様のロック画面６０ｄをディスプレイ２Ａに表示している。そして、ステップＳ７１では、利用者が、ロック画面６０ｄの錠アイコン６３を指Ｆ１でタッチしている。
【０１０６】
そして、ステップＳ７２では、利用者が、ロック画面６０ｄの錠アイコン６３を２本の指（指Ｆ１および指Ｆ２）でタッチしている。このとき、図１３Ｂに示すように、ステップＳ７１で利用者が錠アイコン６３をタッチしてから時間Ｔ１が経過している。
【０１０７】
そして、ステップＳ７３では、利用者が、ロック画面６０ｄの錠アイコン６３を３本の指（指Ｆ１、指Ｆ２および指Ｆ３）でタッチしている。このとき、図１３Ｂに示すように、ステップＳ７２で利用者が錠アイコン６３をタッチしてから時間Ｔ２が経過している。
【０１０８】
スマートフォン１は、錠アイコン６３が一度タッチされてから時間間隔Ｔ１をおいて再びタッチされ、さらに時間間隔Ｔ２をおいて再度タッチされたことを検出すると、ロックを解除する。スマートフォン１は、例えば、ステップＳ７４に示すように、ディスプレイ２Ａの表示をロック画面６０ｄから図４と同様のホーム画面４０に変更する。
【０１０９】
図１３Ａおよび図１３Ｂに示すように、スマートフォン１は、ロック画面６０ｄに配置された錠アイコン６３が、予め決められた時間間隔で予め決められた回数タッチされると、ロックを解除する。これにより、スマートフォン１は、タッチの数およびタッチが行われる間隔に応じてロックを解除するため、セキュリティをさらに向上させることができる。
【０１１０】
なお、図１３Ｂでは、時間Ｔ１より時間Ｔ２の方が長いが、Ｔ１とＴ２とは同じであってもよい。Ｔ１よりＴ２の方が短くてもよい。利用者が錠アイコン６３をタッチする指の本数が、ステップＳ７１からＳ７３の各々で異なっているが、同じであってもよい。もちろん、スマートフォン１は、タッチの数、タッチが行われる間隔およびタッチを行っている指の本数に基づいて、ロックを解除してもよい。この第７の例では、スマートフォン１は、ロック画面６０ｄに配置された錠アイコン６３に対するタッチの数およびタッチが行われる間隔に基づいてロックを解除するが、本実施形態はこれに限られない。スマートフォン１は、ロック画面６０ａに対するタッチの数およびタッチが行われる間隔に基づいてロックを解除してもよい。
【０１１１】
なお、スマートフォン１は、一度タッチが検出されてから時間Ｔ１±Ｔ’後にタッチが検出された場合でも、時間Ｔ１後にタッチされたと判定してよい。スマートフォン１は、時間間隔Ｔ１およびＴ２に、ある程度の幅を持たせてよい。また、スマートフォン１は、タッチスクリーン２Ｂに対するタッチを検出したタイミングではなく、タッチスクリーン２Ｂからのリリースを検出したタイミングに基づいてタッチが行われたと判定してもよい。
【０１１２】
図１４は、実施形態に係るスマートフォンが行う制御の第８の例を示す図である。スマートフォン１は、この第８の例では、ロック画面６０ａが、２箇所でタッチされ、次に１箇所でタッチされ、最後に３箇所でタッチされることを上記の解除パターンとして設定している。
【０１１３】
スマートフォン１は、図１４に示すように、ステップＳ８１で、図６Ａと同様のロック画面６０ａをディスプレイ２Ａに表示している。そして、ステップＳ８１では、利用者が、ロック画面６０ａを２本の指（指Ｆ１および指Ｆ２）でタッチしている。
【０１１４】
そして、ステップＳ８２では、利用者が、ロック画面６０ａを指Ｆ１でタッチしている。
【０１１５】
そして、ステップＳ８３では、利用者が、ロック画面６０ａを３本の指（指Ｆ１、指Ｆ２および指Ｆ３）でタッチしている。
【０１１６】
スマートフォン１は、ロック画面６０ａが、２箇所でタッチされ、次に１箇所でタッチされ、最後に３箇所でタッチされたことを検出すると、ロックを解除する。スマートフォン１は、例えば、ステップＳ８４に示すように、ディスプレイ２Ａの表示をロック画面６０ａから図４と同様のホーム画面４０に変更する。
【０１１７】
図１４に示すように、スマートフォン１は、ロック画面６０ａに対して、予め決められた数のタッチが予め決められた回数だけ予め決められた順序で行われると、ロックを解除する。これにより、スマートフォン１は、タッチの数、回数および順番に応じてロックを解除するため、セキュリティをさらに向上させることができる。
【０１１８】
なお、図１４に示す第８の例では、スマートフォン１は、ロック画面６０ａが、２箇所でタッチされ、次に１箇所でタッチされ、最後に３箇所でタッチされるとロックを解除する。しかしながら、本実施形態は、解除パターンに応じた種々の制御の例が考えられる。例えば、スマートフォン１は、ロック画面６０ａが、３箇所でタッチされ、次に２箇所でタッチされ、最後に１箇所でタッチされるとロックを解除してもよい。
【０１１９】
次に、図１５を参照して、スマートフォン１がタッチスクリーン２Ｂにより検出されるタッチの数に基づいてロックを解除する処理手順について説明する。図１５は、スマートフォン１のコントローラ１０が行う制御を示すフローチャートである。コントローラ１０は、図１５に示す処理手順と並行して、他の処理手順を実行することがある。
【０１２０】
まず、スマートフォン１のコントローラ１０は、ステップＳ１０１として、例えばボタン３Ｄがクリックされるとスマートフォン１をロックし、予め設定されたロック画面をディスプレイ２Ａに表示する。そして、コントローラ１０は、ステップＳ１０２に進む。
【０１２１】
コントローラ１０は、ステップＳ１０２で、タッチスクリーン２Ｂに対するタッチが行われたか否かを判定する。コントローラ１０は、タッチスクリーン２Ｂに対してタッチが行われていない場合（ステップＳ１０２でＮｏ）、ステップＳ１０２に進む。このように、コントローラ１０は、ステップＳ１０２でタッチスクリーン２Ｂに対するタッチを検出するまで、ステップＳ１０２の処理を繰り返す。
【０１２２】
コントローラ１０は、タッチスクリーン２Ｂに対してタッチが行われた場合（ステップＳ１０２でＹｅｓ）、ステップＳ１０３に進む。コントローラ１０は、ステップＳ１０３として、タッチスクリーン２Ｂに対して行われたタッチの数、位置および時間間隔を検出する。そして、コントローラ１０は、ステップＳ１０４に進む。
【０１２３】
コントローラ１０は、ステップＳ１０４で、ステップＳ１０３で検出されたタッチの数、位置および時間間隔が、設定データ９Ｚに記憶された解除パターンと一致するか否かを判定する。
【０１２４】
コントローラ１０は、ステップＳ１０３で検出されたタッチの数、位置および時間間隔が解除パターンと一致する場合（ステップＳ１０４でＹｅｓ）、ステップＳ１０５に進む。コントローラ１０は、ステップＳ１０５として、スマートフォン１のロックを解除する。このとき、コントローラ１０は、ディスプレイ２Ａの表示を、ロック画面からロックされる直前にディスプレイ２Ａに表示していた画面に変更する。
【０１２５】
コントローラ１０は、ステップＳ１０３で検出されたタッチの数、位置および時間間隔が解除パターンと一致しない場合（ステップＳ１０４でＮｏ）、ステップＳ１０６に進む。コントローラ１０は、ステップＳ１０６として、スマートフォン１のロックを解除する操作をやり直すことを利用者に促すメッセージをディスプレイ２Ａに表示する。そして、コントローラ１０は、ステップＳ１０１に戻る。
【０１２６】
本発明を完全かつ明瞭に開示するために特徴的な実施例に関し記載してきた。しかし、添付の請求項は、上記実施例に限定されるべきものでなく、本明細書に示した基礎的事項の範囲内で当該技術分野の当業者が創作しうるすべての変形例及び代替可能な構成を具現化するように構成されるべきである。
【０１２７】
例えば、図５に示した各プログラムは、複数のモジュールに分割されていてもよいし、他のプログラムと結合されていてもよい。
【０１２８】
また、上記の実施形態では、タッチスクリーンを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【０１２９】
なお、タッチスクリーンを備える装置が例えばゲーム機またはデスクトップパソコンである場合、ディスプレイはタッチスクリーンと重畳されていなくてもよい。例えば、タッチスクリーンは、ノートパソコンのトラックパッドであってもよい。ディスプレイとタッチスクリーンとは、別体であってもよい。
【０１３０】
上記の実施形態では、スマートフォン１がロックされるとディスプレイ２Ａにロック画面が表示されるが、本実施形態はこれに限定されない。スマートフォン１は、ロックされてもロック画面を表示しなくてもよい。
【０１３１】
上記の実施形態では、スマートフォン１は、タッチスクリーン２Ｂに対するタッチが解除パターンと一致する場合にディスプレイ２Ａの表示をロック画面からホーム画面４０へ変更する。このとき、スマートフォン１は、例えば図７に示す第１の例のようにタッチが１回行われる場合には、複数の位置でのタッチを検出した時点で表示の変更を開始してもよいし、複数の位置でのタッチを検出した後にリリースを検出した時点で表示の変更を開始してもよい。また、スマートフォン１は、例えば図９に示す第３の例のようにタッチが複数回行われる場合には、最後のタッチを検出した時点で表示の変更を開始してもよいし、最後のタッチを検出した後にリリースを検出した時点で表示の変更を開始してもよい。
【０１３２】
スマートフォン１は、例えば図７に示す第１の例のように、２本の指（指Ｆ１および指Ｆ２）によるタッチが行われるとき、第１位置でのタッチが検出された時間と第２位置でのタッチが検出された時間との差が例えば０．０５秒以内である場合に、同時にタッチされたと判定してよい。つまり、スマートフォン１は、複数の位置でのタッチが厳密に同時に行われていない場合であっても、複数の位置でのタッチが検出された時間が所定の時間間隔内に収まっていれば、タッチスクリーンにおいて複数の位置が同時にタッチされたと判定してよい。また、スマートフォン１は、利用者の複数の指がタッチスクリーンから厳密には同時に離れていない場合であっても、複数の位置でのリリースが検出された時間が所定の時間間隔内に収まっていれば、複数の位置でのリリースを同時に検出したと判定してよい。
【０１３３】
上記の実施形態では、スマートフォン１は、ロックが解除されるとディスプレイ２Ａにホーム画面４０を表示するが、本実施形態はこれに限定されない。スマートフォン１は、例えばディスプレイ２Ａにブラウザアプリケーション９Ｃの画面が表示された状態でスマートフォン１がロックされ、その後ロックが解除されると、スマートフォン１はブラウザアプリケーション９Ｃの画面を再びディスプレイ２Ａに表示してもよい。
【０１３４】
上記の実施形態では、スマートフォン１は、タッチスクリーン２Ｂに対して解除パターンと異なるタッチが行われた場合には、スマートフォン１のロックを解除する操作をやり直すことを利用者に促すメッセージをディスプレイ２Ａに表示するが、本実施形態はこれに限られない。スマートフォン１は、上記のメッセージをディスプレイ２Ａに表示しなくてもよい。また、スマートフォン１は、タッチスクリーン２Ｂに対して解除パターンと異なるタッチが行われた場合には、別のロック画面を表示してもよい。これにより、スマートフォン１は、さらにセキュリティを向上させることができる。
【符号の説明】
【０１３５】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０  コントローラ
１２、１３  カメラ
１４  コネクタ
１５  加速度センサ 
１６  方位センサ
１７  ジャイロスコープ
２０  ハウジング
４０  ホーム画面
５０  アイコン
６０  ロック画面
６１  アイコン
６２  鍵盤オブジェクト
６３  錠アイコン
【図１】
2013073512.tif 000003
【図２】
2013073512.tif 000004
【図３】
2013073512.tif 000005
【図４】
2013073512.tif 000006
【図５】
2013073512.tif 000007
【図６Ａ】
2013073512.tif 000008
【図６Ｂ】
2013073512.tif 000009
【図６Ｃ】
2013073512.tif 000010
【図６Ｄ】
2013073512.tif 000011
【図７】
2013073512.tif 000012
【図８】
2013073512.tif 000013
【図９】
2013073512.tif 000014
【図１０】
2013073512.tif 000015
【図１１】
2013073512.tif 000016
【図１２】
2013073512.tif 000017
【図１３Ａ】
2013073512.tif 000018
【図１３Ｂ】
2013073512.tif 000019
【図１４】
2013073512.tif 000020
【図１５】
2013073512.tif 000021